(57)【要約】      （修正有）【課題】エレベータのかご室内に保護幕を取り付けた際に、収納時の巻癖によって発生する保護幕の下端部の浮き上がりを防止するとともに、取り扱いの容易なエレベータのかご室壁用保護装置を得る。【解決手段】エレベータのかご室壁２，３，４を保護するために、上端部がかご室内に掛止された複数の保護幕７，１０，１２と、各保護幕の少なくとも一方の側縁部に設けられたマジックテープ（登録商標）９，１１，１３と、隣接する保護幕の各側縁部に設けられたマジックテープ（登録商標）に着脱自在に係合して、隣接する保護幕を連結する連結用マジックテープ（登録商標）１４とを備える。【選択図】図１
2007039163.tif 000002
【特許請求の範囲】
【請求項１】
エレベータのかご室壁を保護するために、上端部がかご室内に掛止された複数の保護幕と、前記各保護幕の少なくとも一方の側縁部に設けられたマジックテープ（登録商標）と、隣接する前記保護幕の各側縁部に設けられた前記マジックテープ（登録商標）に着脱自在に係合して、隣接する前記保護幕を連結する連結用マジックテープ（登録商標）とを備えたことを特徴とするエレベータのかご室壁用保護装置。
【請求項２】
マジックテープ（登録商標）は、保護幕の側縁部の上下に渡って設けられたことを特徴とする請求項１に記載のエレベータのかご室壁用保護装置。
【請求項３】
マジックテープ（登録商標）は、保護幕の側縁部の下部に設けられたことを特徴とする請求項１に記載のエレベータのかご室壁用保護装置。
【請求項４】
マジックテープ（登録商標）は、全ての保護幕の両側縁部に設けられたことを特徴とする請求項１から請求項３の何れかに記載のエレベータのかご室壁用保護装置。
【発明の詳細な説明】
【技術分野】
【０００１】
この発明は、エレベータのかご室壁を傷等から守る保護装置に関するものである。
【背景技術】
【０００２】
エレベータを使用して大型の荷物等を運搬する場合、かご室壁を傷付けないようにするため、通常、かご室内に、かご室壁を覆うように保護幕が取り付けられる。なお、この保護幕は、平常時には使用されずに所定場所に格納されており、使用時のみ一時的にかご室内に取り付けられるのが一般的である。このような保護幕を備えた従来のかご室壁用保護装置として、保護幕の上端部をかご室天井板より上方で掛止するように構成することにより、この保護幕を掛止する吊り金具をかご室内の乗客から見えないようにしたものが提案されている（例えば、特許文献１参照）。
【０００３】
【特許文献１】特開平５−１７０８９号公報
【発明の開示】
【発明が解決しようとする課題】
【０００４】
特許文献１記載のエレベータのかご室壁用保護装置を含め従来のものは、保護幕の収納性や取付時の作業性等を悪化させないようにするため、保護幕を奥側のかご室壁用とかご出入口から見て両側のかご室壁用とに分割して、各かご室壁に設けられた吊り金具に、それぞれの保護幕を吊るすように構成していた。しかし、保護幕の上端部を吊り金具に掛止することにより、垂下された保護幕の下端部が収納時の巻癖によって浮き上がってしまい、荷物の出し入れの際に、保護幕の下端部に荷物等が接触する等して作業性が悪化するという問題が生じていた。なお、保護幕を奥側かご室壁用と両側かご室壁用とに分割せず一体とした場合には、保護幕の大きさ及び重量が増加して、その取り扱いが困難になるという欠点があった。
【０００５】
この発明は、上述のような課題を解決するためになされたもので、その目的は、保護幕の下端部の浮き上がりを防止して、取り扱いの容易なエレベータのかご室壁用保護装置を提供することである。
【課題を解決するための手段】
【０００６】
この発明に係るエレベータのかご室壁用保護装置は、エレベータのかご室壁を保護するために、上端部がかご室内に掛止された複数の保護幕と、各保護幕の少なくとも一方の側縁部に設けられたマジックテープ（登録商標）と、隣接する保護幕の各側縁部に設けられたマジックテープ（登録商標）に着脱自在に係合して、隣接する保護幕を連結する連結用マジックテープ（登録商標）とを備えたものである。
【発明の効果】
【０００７】
この発明は、エレベータのかご室壁を保護するために、上端部がかご室内に掛止された複数の保護幕と、各保護幕の少なくとも一方の側縁部に設けられたマジックテープ（登録商標）と、隣接する保護幕の各側縁部に設けられたマジックテープ（登録商標）に着脱自在に係合して、隣接する保護幕を連結する連結用マジックテープ（登録商標）とを備える構成としたことで、保護幕の下端部の浮き上がりを防止して、取り扱いを容易にすることができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータのかご室内部を示す図、図２は図１におけるＡ−Ａ断面図、図３はこの発明の実施の形態１におけるエレベータのかご室壁用保護装置の要部平面図であり、図１はかごの出入口側からかご室内部を見た状態を示している。図１乃至図３において、１はかご室の床面を形成するかご床、２はかご床１に立設されて、かごの出入口側から見て奥側に配置されたかご室壁（以下、「奥側のかご室壁２」という）、３及び４はかごの出入口を間に挟んで互いに対向するようにかご床１に立設され、かごの出入口側から見て両側に配置されたかご室壁であり、３はかごの出入口側から見て右側に配置されたかご室壁（以下、「右側のかご室壁３」という）、４はかごの出入口側から見て左側に配置されたかご室壁（以下、「左側のかご室壁４」という）を示している。なお、かご室天井面には、照明装置５が設けられている。
【００１０】
６ａ乃至６ｃはそれぞれ奥側のかご室壁２、右側のかご室壁３並びに左側のかご室壁４に複数個ずつ設けられた吊り金具であり、かご床１から所定の高さに配置されて、先端部がかご室内側に突出するように設けられている。また、７は上端部が奥側のかご室壁２に設けられた吊り金具６ａに掛止されて、奥側のかご室壁２を保護するためにこのかご室壁２を覆うように配置された奥側かご室壁用の保護幕である。この奥側かご室壁用の保護幕７には、その上端部に複数の鳩目８が吊り金具６ａの配置に対応するように設けられている。そして、保護幕７は、鳩目８が吊り金具６ａに引っ掛けられることにより、奥側のかご室壁２に掛止される。
【００１１】
また、上記保護幕７には、裏面の両側縁部に、保護幕７のほぼ上下全長に渡ってマジックテープ（登録商標）９が設けられている。なお、このマジックテープ（登録商標）９は、図１に示すように、縦長に形成された１つのマジックテープ（登録商標）９ａにより構成したり、分割構成された複数のマジックテープ（登録商標）９ｂによって、保護幕７のほぼ上下全長に渡って配置するように構成したりしても良い。
【００１２】
１０は上端部が右側のかご室壁３に設けられた吊り金具６ｂに掛止されて、右側のかご室壁３を保護するためにこのかご室壁３を覆うように配置された右側かご室壁用の保護幕である。この右側かご室壁用の保護幕１０には、その上端部に複数の鳩目８が吊り金具６ｂの配置に対応するように設けられている。そして、保護幕１０は、鳩目８が吊り金具６ｂに引っ掛けられることにより、右側のかご室壁３に掛止される。また、保護幕１０には、その裏面の保護幕７に隣接する奥側の側縁部に、保護幕１０のほぼ上下全長に渡ってマジックテープ（登録商標）１１が設けられている。なお、このマジックテープ（登録商標）１１は、マジックテープ（登録商標）９と同様に、縦長に形成された１つのもので構成されていても、複数に分割されたもので構成されていても良い。
【００１３】
１２は上端部が左側のかご室壁４に設けられた吊り金具６ｃに掛止されて、左側のかご室壁４を保護するためにこのかご室壁４を覆うように配置された左側かご室壁用の保護幕である。この左側かご室壁用の保護幕１２には、その上端部に複数の鳩目８が吊り金具６ｃの配置に対応するように設けられている。そして、保護幕１２は、鳩目８が吊り金具６ｃに引っ掛けられることにより、左側のかご室壁４に掛止される。また、保護幕１２には、その裏面の保護幕７に隣接する奥側の側縁部に、保護幕１２のほぼ上下全長に渡ってマジックテープ（登録商標）１３が設けられている。なお、このマジックテープ（登録商標）１３は、マジックテープ（登録商標）９及び１１と同様に、縦長に形成された１つのもので構成されていても、複数に分割されたもので構成されていても良い。
【００１４】
また、１４は、奥側かご室壁用の保護幕７と右側かご室壁用の保護幕１０との互いに隣接する各側縁部に設けられたマジックテープ（登録商標）９及び１１、並びに、奥側のかご室壁用の保護幕７と左側かご室壁用の保護幕１２との互いに隣接する各側縁部に設けられたマジックテープ（登録商標）９及び１３にそれぞれ着脱自在に係合して、隣接する保護幕７と保護幕１０、並びに、隣接する保護幕７と保護幕１２とをほぼ上下全長に渡って連結する連結用マジックテープ（登録商標）である。なお、この連結用マジックテープ（登録商標）１４は、図１に示すように、縦長に形成された１つのマジックテープ（登録商標）１４ａにより構成したり、分割構成された複数のマジックテープ（登録商標）１４ｂにより構成したりしても良い。
【００１５】
かかる構成を有することにより、収納時の巻癖がついている保護幕７及び１０及び１２（以下、「保護幕７等」という）をかご室壁２乃至４に取り付けた場合でも、保護幕７等の下端部の浮き上がりを防止することが可能となる。また、保護幕７及び１０と保護幕７及び１２とをそれぞれ連結するために着脱自在な連結用マジックテープ（登録商標）１４を使用しているため、取付け及び取外しが容易であり、その取り扱いが困難になるということはない。また、保護幕７等に設けられたマジックテープ（登録商標）９及び１１及び１３（以下、「マジックテープ（登録商標）９等」という）は、折り曲げや折り畳みが自在なため、収納の際にも邪魔になることもない。
【００１６】
なお、実施の形態１においては、保護幕７等の上下全長に渡ってマジックテープ（登録商標）９等が設けられて、保護幕７及び１０と保護幕７及び１２とがそれぞれ連結用マジックテープ（登録商標）１４によって連結されているが、保護幕７等の下端部の浮き上がりのみを防止する場合には、保護幕７等の側縁部の下部のみにマジックテープ（登録商標）９等を設けて、保護幕７等の下部のみをマジックテープ（登録商標）１４によって連結するようにしても効果を奏することは言うまでもない。また、右側かご室壁用の保護幕１０の裏面両側縁部と左側かご室壁用の保護幕１２の裏面両側縁部とにマジックテープ（登録商標）１１及び１３をそれぞれ設けて全ての保護幕７等の両側縁部にマジックテープ（登録商標）９等を備えるようにすることにより、取付場所の制限を無くして作業効率を向上させることも可能である。
【図面の簡単な説明】
【００１７】
【図１】この発明の実施の形態１におけるエレベータのかご室内部を示す図である。
【図２】図１におけるＡ−Ａ断面図である。
【図３】この発明の実施の形態１におけるエレベータのかご室壁用保護装置の要部平面図である。
【符号の説明】
【００１８】
１  かご床
２、３、４  かご室壁
５  照明装置
６ａ、６ｂ、６ｃ  吊り金具
７、１０、１２  保護幕
８  鳩目
９、９ａ、９ｂ、１１、１３  マジックテープ（登録商標）
１４、１４ａ、１４ｂ  連結用マジックテープ（登録商標）
【図１】
2007039163.tif 000003
【図２】
2007039163.tif 000004
【図３】
2007039163.tif 000005